(57)【要約】【課題】プルーフ画像における特色が、実際にはどのように作成されるのかというようなことを容易に判別できる画像処理装置を提供することを目的とする。【解決手段】プルーフ画像のうちの特色画像部分を、プルーフ画像を出力する出力デバイスの特色の再現方式に予め対応付けられた表現態様で表現したプレビュー画像を表示する。このようなプレビュー画像を確認することによって、プルーフ画像を出力する前に、プルーフ画像の特色がどのように作成されるのかというようなことを容易に判別することができる。【選択図】　　　　図９
2004086238.tif 000002
【特許請求の範囲】
【請求項１】
プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、該プルーフ画像を表す該出力デバイス用のプルーフ画像データを、前記印刷画像を表す印刷画像データを処理して生成する画像処理装置において、
前記印刷画像データとして、前記プロセス色版画像を表す第１の画像データ部分と、前記特色版画像を表す第２の画像データ部分とを有する印刷画像データを取得する画像データ取得部と、
前記画像データ取得部で取得された印刷画像データを、前記出力デバイスにおける印刷画像の再現方式を前提として処理して前記プルーフ画像データに変換する画像データ変換部と、
前記画像データ変換部が前記第２の画像データ部分を処理したときに前提とした、前記出力デバイスにおける特色の再現方式を認識する再現方式認識部と、
前記画像データ変換部で変換されたプルーフ画像データに基づいて、プルーフ画像のうち特色を再現した特色画像部分については、前記再現方式認識部で認識された再現方式に予め対応づけられている表現態様で表現した、該プルーフ画像を模したプレビュー画像を表示するプレビュー画像表示部とを備えたことを特徴とする画像処理装置。
【請求項２】
予め定められている、特色における複数の再現方式のうちの、所望の再現方式を指定する再現方式指定部を備え、
前記プレビュー画像表示部は、前記特色画像部分が、前記再現方式指定部で指定された再現方式と同じ再現方式で再現されたものである場合に、該再現方式に予め対応付けられている前記表現態様とは異なる別の表現態様で表現したプレビュー画像を表示するものであることを特徴とする請求項１記載の画像処理装置。
【請求項３】
プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、該プルーフ画像を表す該出力デバイス用のプルーフ画像データを、前記印刷画像を表す印刷画像データを処理して生成する画像処理装置において、
前記印刷画像データを取得する画像データ取得部と、
前記画像データ取得部で取得された印刷画像データを、複数の色版画像を重ね合わせて印刷画像を再現する出力デバイスを前提として処理して、前記プルーフ画像を出力するための複数の色版画像を表すプルーフ画像データに変換する画像データ変換部と、
前記画像データ変換部で変換されたプルーフ画像データが表す複数の色版画像を立体的に表現したプレビュー画像を表示するプレビュー画像表示部とを備えたことを特徴とする画像処理装置。
【請求項４】
コンピュータ内で実行され、該コンピュータによって、プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、該プルーフ画像を表す該出力デバイス用のプルーフ画像データを、前記印刷画像を表す印刷画像データを処理して生成する画像処理プログラムにおいて、
前記印刷画像データとして、前記プロセス色版画像を表す第１の画像データ部分と、前記特色版画像を表す第２の画像データ部分とを有する印刷画像データを取得する画像データ取得部と、
前記画像データ取得部で取得された印刷画像データを、前記出力デバイスにおける印刷画像の再現方式を前提として処理して前記プルーフ画像データに変換する画像データ変換部と、
前記画像データ変換部が前記第２の画像データ部分を処理したときに前提とした、前記出力デバイスにおける特色の再現方式を認識する再現方式認識部と、
前記画像データ変換部で変換されたプルーフ画像データに基づいて、プルーフ画像のうち特色を再現した特色画像部分については、前記再現方式認識部で認識された再現方式に予め対応づけられている表現態様で表現した、該プルーフ画像を模したプレビュー画像を表示するプレビュー画像表示部とを備えたことを特徴とする画像処理プログラム。
【請求項５】
コンピュータ内で実行され、該コンピュータによって、プロセス色で構成されたプロセス色版画像と、特色で構成された特色版画像とが重ね合わされてなる印刷画像を印刷して得たときの該印刷画像を再現したプルーフ画像を出力デバイスを用いて出力する際の、該プルーフ画像を表す該出力デバイス用のプルーフ画像データを、前記印刷画像を表す印刷画像データを処理して生成する画像処理プログラムにおいて、
前記印刷画像データを取得する画像データ取得部と、
前記画像データ取得部で取得された印刷画像データを、複数の色版画像を重ね合わせて印刷画像を再現する出力デバイスを前提として処理して、前記プルーフ画像を出力するための複数の色版画像を表すプルーフ画像データに変換する画像データ変換部と、
前記画像データ変換部で変換されたプルーフ画像データが表す複数の色版画像を立体的に表現したプレビュー画像を表示するプレビュー画像表示部とを備えたことを特徴とする画像処理プログラム。
【発明の詳細な説明】
【０００１】
【発明の属する技術分野】
本発明は、特色を含む画像をカラー印刷機で印刷するにあたり、印刷に先立って行われる色校正に用いられるプルーフ画像を作成する画像処理装置、およびコンピュータ内で実行されることにより、そのコンピュータをそのような画像処理装置として動作させる画像処理プログラムに関する。
【０００２】
【従来の技術】
従来、カラー印刷機を用いた印刷では、Ｃ（シアン）、Ｍ（マゼンタ）、Ｙ（イエロー）、Ｋ（黒）４色のプロセスインクが使用され、それらのプロセスインクが重ね合わされることによって全ての色が表現されている。しかし、例えば、プロセスインクの組み合わせでは表現しにくい色や、頻繁に使用される色などについては、「特色」として、その色をそのまま表現するように特別に調整されたインク（以下、この特色用のインクを特色インクと称する）が用いられることがある。
【０００３】
ところで、カラー印刷機を用いた印刷は、フィルム原版を作成し、さらに刷版を作成するなど大がかりなうえコストがかかる作業である。したがって、従来より、印刷を行う前には、カラー印刷機に比べて手軽なプリンタ等を用いて、そのカラー印刷機で印刷されるカラー画像の色と極力同じ色に似せたプルーフ画像を作成し、そのプルーフ画像を使ってカラー画像の色やレイアウトを確認することが行われている。
【０００４】
ここで、特色を含むカラー画像を印刷する前に作成されるプルーフ画像について説明する。
【０００５】
例えば、プルーフ画像を出力するプリンタ等の出力デバイスでも特色インクを使用できる場合、特色の画像部分は特色インクで、特色以外の画像部分はプロセスインクで構成されたプルーフ画像が作成される。
【０００６】
また、プルーフ画像を出力する出力デバイスには、特色インクを使用できないものも多く、そのような出力デバイスでは、従来より、特色の画像部分はプロセス色成分に色分解されて、特色以外の画像部分といっしょにプロセスインクで構成されたプルーフ画像が作成される（例えば、特許文献１参照。）。
【０００７】
（特許文献１）
特開２００１−１５７０７４号公報（第１０頁、第９図）
【０００８】
【発明が解決しようとする課題】
上記のプロセスインクおよび特色インクを用いて作成されたプルーフ画像の色でも、プロセスインクのみで作成されたプルーフ画像の色でも、印刷のカラー画像の色と同じ色が再現されることが理想である。しかし、実際には、特に特色については、特色インクが用いられたプルーフ画像の特色は安定しており、カラー画像の特色に近い色が再現されるのに対して、プロセスインクのみで作成されたプルーフ画像の特色は、カラー画像の特色と大きく異なった色が再現されてしまうことがある。特色の再現精度という点では、特色インクを用いたプルーフ画像の方がプロセスインクのみで作成されたプルーフ画像よりも優れていることが多いが、コスト面においても、すでに出力デバイスで特色インクが使用できる場合には、特色インクを用いる方が安価でプルーフ画像を作成することができる。このようなことから、すでに出力デバイスで特色インクが使用できる場合には、なるべく特色インクを用いてプルーフ画像を作成することが好ましい。
【０００９】
また、例えば、網点パターンを用いてインクを重ね合わせるプリンタでは、その網点パターンの種類によっても、プルーフ画像の色が微妙に異なってしまうことがあり、表現する色に合った網点パターンを適用することが好ましい。
【００１０】
このように、カラー画像をなるべく正確に再現したプルーフ画像を作成するには、インクの種類や網点パターンの種類などというような様々な出力条件を設定する必要がある。しかし、出力条件の設定を確認せずにプルーフ画像を作成すると、例えば、特色インクが使用できるにもかかわらず、プロセスインクのみでプルーフ画像を作成してしまうなどという恐れがある。プルーフ画像作成に用いられる用紙は比較的高価なものであり、プルーフ画像の作成ミスによる無駄な用紙の消費はコストの上昇につながる。このようなプルーフ画像の作成ミスを防ぐには、プルーフ画像を作成する前に出力デバイスの出力設定を逐一確認することが望ましいが、これは大変煩雑な作業であるという問題がある。
【００１１】
本発明は、上記事情に鑑み、プルーフ画像における特色が、実際にはどのように作成されるのかというようなことを容易に判別できる画像処理装置に関する。
【００１２】
【課題を解決するための手段】
上記目的を達成する本発明の画像処理装置は、プロセス色で構成されたプロセス色版画像と、特色で構成された特色版画像とが重ね合わされてなる印刷画像を印刷して得たときの印刷画像を再現したプルーフ画像を出力デバイスを用いて出力する際の、プルーフ画像を表す出力デバイス用のプルーフ画像データを、印刷画像を表す印刷画像データを処理して生成する画像処理装置において、
印刷画像データとして、プロセス色版画像を表す第１の画像データ部分と、特色版画像を表す第２の画像データ部分とを有する印刷画像データを取得する画像データ取得部と、
画像データ取得部で取得された印刷画像データを、出力デバイスにおける印刷画像の再現方式を前提として処理してプルーフ画像データに変換する画像データ変換部と、
画像データ変換部が第２の画像データ部分を処理したときに前提とした、出力デバイスにおける特色の再現方式を認識する再現方式認識部と、
画像データ変換部で変換されたプルーフ画像データに基づいて、プルーフ画像のうち特色を再現した特色画像部分については、再現方式認識部で認識された再現方式に予め対応づけられている表現態様で表現した、プルーフ画像を模したプレビュー画像を表示するプレビュー画像表示部とを備えたことを特徴とする。
【００１３】
本発明の画像処理装置は、プルーフ画像のうちの特色画像部分が、出力デバイスにおける特色の再現方式に対応した表現態様で表現されたプレビュー画像を表示する。このプレビュー画像を確認することにより、プルーフ画像における特色が、実際にはどのように作成されるのかを容易に判別することができ、例えば、特色インクを用いるなど、出力デバイスが所望の再現方式で印刷画像を再現してプルーフ画像を作成する設定になっているのかを判別して、プルーフ画像の作成ミスを軽減させることができる。
【００１４】
また、本発明の画像処理装置は、予め定められている、特色における複数の再現方式のうちの、所望の再現方式を指定する再現方式指定部を備え、
上記のプレビュー画像表示部は、特色画像部分が、再現方式指定部で指定された再現方式と同じ再現方式で再現されたものである場合に、その再現方式に予め対応付けられている表現態様とは異なる別の表現態様で表現したプレビュー画像を表示するものであることが好ましい。
【００１５】
上記のような画像処理装置によると、オペレータによって所望の再現方式が指定されると、プレビュー画像のうちの指定された再現方式で再現された特色に対応する画像部分が、再現方式が指定される前とは異なる表現態様で表現されたプレビュー画像が表示される。プレビュー画像のうちの表現態様が変化した画像部分を確認して、プルーフ画像を作成する前に、プルーフ画像に所望の再現方式で再現された特色が含まれるか否かというようなことを容易に判別することができる。
【００１６】
また、本発明の画像処理装置において、上記のプレビュー画像表示部が、再現方式認識部で認識された再現方式に予め対応付けられた地模様で特色画像部分を表現したプレビュー画像を表示するものであることが好適である。
【００１７】
上述した好適な画像処理装置によって表示されたプレビュー画像を確認することで、容易に特色ごとの再現方式を判別することができる。
【００１８】
また、本発明の画像処理装置において、上記のプレビュー画像表示部が、ある再現方式に対し、特色画像部分を点滅させる表現態様が予め対応付けられたものであってもよい。
【００１９】
また、本発明の画像処理装置は、予め定められている、特色における複数の再現方式のうちの、所望の再現方式を指定する再現方式指定部を備え、
上記のプレビュー画像表示部は、特色画像部分が、再現方式指定部で指定された再現方式以外の再現方式で再現されたものである場合に、特色画像部分を削除したプレビュー画像を表示するものであってもよい。
【００２０】
所望の再現方式以外の再現方式で再現された特色の画像部分が削除されたプレビュー画像を確認することで、所望の再現方式で再現された特色の画像部分を判別しやすくなる。
【００２１】
また、本発明の画像処理装置は、プロセス色で構成されたプロセス色版画像と、特色で構成された特色版画像とが重ね合わされてなる印刷画像を印刷して得たときの印刷画像を再現したプルーフ画像を出力デバイスを用いて出力する際の、プルーフ画像を表す出力デバイス用のプルーフ画像データを、印刷画像を表す印刷画像データを処理して生成する画像処理装置において、
印刷画像データを取得する画像データ取得部と、
画像データ取得部で取得された印刷画像データを、複数の色版画像を重ね合わせて印刷画像を再現する出力デバイスを前提として処理して、プルーフ画像を出力するための複数の色版画像を表すプルーフ画像データに変換する画像データ変換部と、
画像データ変換部で変換されたプルーフ画像データが表す複数の色版画像を立体的に表現したプレビュー画像を表示するプレビュー画像表示部とを備えたことを特徴とする。
【００２２】
本発明の画像処理装置は、プルーフ画像を構成する複数の色版画像を立体的に表現したプレビュー画像をプレビュー画像表示部で表示する。このプレビュー画像を確認することにより、プルーフ画像における特色がそのようなインクの組み合わせで作成されるのかを容易に判別することができ、例えば、プルーフ画像の特色画像部分が所望のインクで再現されるかというようなことを判別して、プルーフ画像の作成ミスを軽減させることができる。
【００２３】
また、本発明の画像処理プログラムは、コンピュータ内で実行され、コンピュータによって、プロセス色で構成されたプロセス色版画像と、特色で構成された特色版画像とが重ね合わされてなる印刷画像を印刷して得たときの印刷画像を再現したプルーフ画像を出力デバイスを用いて出力する際の、プルーフ画像を表す出力デバイス用のプルーフ画像データを、印刷画像を表す印刷画像データを処理して生成する画像処理プログラムにおいて、
印刷画像データとして、プロセス色版画像を表す第１の画像データ部分と、特色版画像を表す第２の画像データ部分とを有する印刷画像データを取得する画像データ取得部と、
画像データ取得部で取得された印刷画像データを、出力デバイスにおける印刷画像の再現方式を前提として処理してプルーフ画像データに変換する画像データ変換部と、
画像データ変換部が第２の画像データ部分を処理したときに前提とした、出力デバイスにおける特色の再現方式を認識する再現方式認識部と、
画像データ変換部で変換されたプルーフ画像データに基づいて、プルーフ画像のうち特色を再現した特色画像部分については、再現方式認識部で認識された再現方式に予め対応づけられている表現態様で表現した、プルーフ画像を模したプレビュー画像を表示するプレビュー画像表示部とを備えたことを特徴とする。
【００２４】
本発明の画像処理プログラムをコンピュータ内で実行させることによって、そのコンピュータを上記のような画像処理装置として動作させることができる。
【００２５】
尚、本発明の画像処理プログラムには、本発明の画像処理装置の上述した各種態様に対応する各種態様全てが含まれる。
【００２６】
さらに、本発明の画像処理プログラムは、コンピュータ内で実行され、コンピュータによって、プロセス色で構成されたプロセス色版画像と、特色で構成された特色版画像とが重ね合わされてなる印刷画像を印刷して得たときの印刷画像を再現したプルーフ画像を出力デバイスを用いて出力する際の、プルーフ画像を表す出力デバイス用のプルーフ画像データを、印刷画像を表す印刷画像データを処理して生成する画像処理プログラムにおいて、
印刷画像データを取得する画像データ取得部と、
画像データ取得部で取得された印刷画像データを、複数の色版画像を重ね合わせて印刷画像を再現する出力デバイスを前提として処理して、プルーフ画像を出力するための複数の色版画像を表すプルーフ画像データに変換する画像データ変換部と、
画像データ変換部で変換されたプルーフ画像データが表す複数の色版画像を立体的に表現したプレビュー画像を表示するプレビュー画像表示部とを備えたことを特徴とする。
【００２７】
本発明の画像処理プログラムをコンピュータ内で実行させることによって、そのコンピュータを上記のような画像処理装置として動作させることができる。
【００２８】
【発明の実施の形態】
以下、本発明の実施形態について説明する。
【００２９】
図１は、本発明の一実施形態が適用された画像処理システムの全体構成図である。
【００３０】
カラースキャナ１０では、原稿画像が読み取られて、その読み取られた原稿画像を表すＣＭＹＫ４色の色分解画像データが生成される。この色分解画像データは、ワークステーション２０に入力される。ワークステーション２０では、オペレータにより、入力された色分解画像データに基づく電子的な集版が行われ、印刷用の画像を表す印刷画像データが生成される。ここでは、ワークステーション２０を操作するオペレータによって、ＣＭＹＫ４色のプロセスインクのみでなく、ある特色インクを使用した印刷を行うことが決定され、電子集版では、その特色を含めた画像がデザインされる。その結果、ここでは、その印刷用の画像を表す印刷画像データとして、プロセスインクで刷られるプロセス色版画像を表すプロセス色版画像データ部分と、特色インクで刷られる特色版画像を表す特色版画像データ部分とからなる印刷画像データが生成される。このプロセス色版画像データ部分はＣＭＹＫ４色のプロセス色成分を表す４次元の画像データ部分である。また、特色版画像データ部分は特色成分を表す１次元の画像データ部分であり、印刷に用いられる特色インクの数だけ存在する。プロセス色版画像データ部分および特色版画像データ部分は別名を付されており、特色版画像データ部分の名称には特色名が含まれている。これらプロセス色版画像データ部分と特色版画像データ部分とからなる印刷画像データは、印刷を行う場合はフィルムプリンタ３０に入力され、フィルムプリンタ３０では、その入力された印刷画像データに対応した、ＣＭＹＫ各版と特色用の版とからなる印刷用フィルム原版が作成される。
【００３１】
この印刷用フィルム原版からは刷版が作成され、その作成された刷版が印刷機４０に装着される。この印刷機４０に装着された刷版にはインクが塗布され、その塗布されたインクが印刷用の用紙上に転写されて、その用紙上に印刷画像４１が形成される。通常、印刷画像は、ＣＭＹＫ４色の各プロセスインクの組み合わせで構成されたプロセス色版画像、および特色インクで構成された特色版画像が重ねあわされて形成され、印刷画像のうちのインクが重なった画像部分は混合色を有するが、説明の便宜上、以下では、特色インク同士、あるいは特色インクとプロセスインクとが交じり合った混合色を有する画像部分は存在しない印刷画像４１を用いて説明する。この印刷画像４１は、プロセス色の混合色を有するプロセス色部分４１ａと、赤の特色インクのみの色を有する赤特色部分４１ｂと、緑の特色インクのみの色を有する緑特色部分４１ｃと、青の特色インクのみの色を有する青特色部分４１ｄで構成されている。このプロセス色版画像は、本発明にいうプロセス色版画像の一例にあたり、赤特色版画像と緑特色版画像および青特色版画像は、本発明にいう特色版画像の一例にあたる。さらに、印刷画像４１は、本発明にいう印刷画像の一例に相当する。
【００３２】
印刷画像４１を印刷するための作業は、フィルムプリンタ３０によりフィルム原版を作成し、さらに刷版を作成して印刷機４０に装着し、その刷版にインクを塗布して用紙上に印刷を行う一連の大掛かりな作業であり、コストもかかる。このため、実際の印刷作業を行う前に、以下のようにしてプルーフ画像６１を作成し、印刷画像４１の仕上がりの事前確認が行われる。
【００３３】
プルーフ画像６１を作成するにあたっては、ワークステーション２０上の電子集版により作成された印刷画像データがパーソナルコンピュータ５０に入力される。ここで、このパーソナルコンピュータ５０に入力される印刷画像データは、いわゆるＰＤＬ（Ｐａｇｅ　Ｄｅｓｃｒｉｐｔｉｏｎ　Ｌａｎｇｕａｇｅ）で記述された記述言語データであり、パーソナルコンピュータ５０では、いわゆるＲＩＰ（Ｒａｓｔｅｒ　Ｉｍａｇｅ　Ｐｒｏｃｅｓｓｏｒ）により、ビットマップに展開された印刷画像データに変換される。この印刷画像データは、実質的には、フィルムプリンタ３０に入力される印刷画像データと同一である。
【００３４】
この印刷画像データは、このパーソナルコンピュータ５０で複数台のプリンタ６０ａ、プリンタ６０ｂ、…、プリンタ６０ｎのうちのプルーフ画像を出力しようとしているプリンタ（ここでは、プリンタ６０ａとする）に適合したプルーフ画像データに変換される。
【００３５】
ここで、パーソナルコンピュータ５０で印刷画像データをプリンタ６０ａに適合したプルーフ画像データに変換する際の、代表的なデータ変換方法について説明する。
【００３６】
まず、第１のデータ変換方法について説明する。この第１のデータ変換方法は、プリンタ６０ａが特色インクに対応していない、あるいは特色インクが切れているなどの理由でプリンタ６０ａが特色インクを使用することができず、さらに、プリンタ６０ａが、１種類の網点パターンによってインクを重ね合わせる、あるいは網点パターンを使わずにインクを重ね合わせるプリンタである場合に用いられる方法である。
【００３７】
第１のデータ変換方法によると、上述したようにプロセス色版画像データ部分と特色版画像データ部分とで構成された印刷画像データが、プリンタ６０ａ用のプロセス色成分のみを表すプルーフ画像データに変換される。
【００３８】
図２は、上記の第１のデータ変換方法を示す図である。ここには、プロセス色変換過程１０１、特色参照過程１０２、階調演算過程１０３、および加算部１０４が示されている。
【００３９】
図１に示すパーソナルコンピュータ５０には、印刷機４０用の画像データのうちのＣＭＹＫ４色のプロセス色成分の値と、プリンタ６０ａ用の画像データのプロセス色成分の値との対応関係を示すプロファイルが予め用意されており、図２のプロセス色変換過程１０１では、このプロファイルが参照されて、ワークステーション２０からパーソナルコンピュータ５０に送られた印刷画像データのうちの、プロセス色版画像データ部分がプリンタ６０ａ用の画像データ成分であるプロセス画像データ成分に変換される。
【００４０】
さらに、パーソナルコンピュータ５０には、特色名と、その特色名で表される特色の濃度が１００％のときの色を再現するための、プリンタ６０ａ用のプロセス色成分で構成された画像データである特色ベタデータの値との対応関係を示すテーブルも用意されている。特色参照過程１０２では、印刷画像データの特色版画像データ部分に付された名称を基に、印刷機４０で使用される特色インクの特色名が認識され、上記のテーブルが参照されて、その特色名に対応する特色ベタデータが取得される。この特色ベタデータは、階調演算過程１０３で、ワークステーション２０からパーソナルコンピュータ５０に送られた印刷画像データのうちの特色版画像データ部分と掛け合わされて特色の濃度が調節され、プロセス色で特色を再現した特色再現画像データ成分が生成される。
【００４１】
加算部１０４では、プロセス色変換過程１０１で変換されたプロセス画像データ成分の値と、階調演算過程１０３で生成された特色再現画像データ成分の値とが加算されてプルーフ画像データが生成される。
【００４２】
次に、第２のデータ変換方法について説明する。この第２のデータ変換方法は、プリンタ６０ａが特色インクを使用することができず、さらに、プリンタ６０ａが複数の網点パターンによってインクを重ね合わせるプリンタである場合に用いられる方法である。この第２のデータ変換方法においても、印刷画像データが、プリンタ６０ａ用のプロセス色成分を表すプルーフ画像データに変換される。
【００４３】
図３は、第２のデータ変換方法を示す図である。図３には、図２に示す第１のデータ変換方法と同様に、プロセス色変換過程１１１、特色参照過程１１３、および階調演算過程１１４が示されており、さらに、プロセス色網がけ過程１１２と特色網がけ過程１１５が示されている。また、第１のデータ変換方法の加算部１０４に換わり、合成部１１６が示されている。
【００４４】
第１のデータ変換方法と同様に、プロセス色変換過程１１１で、印刷画像データのうちのプロセス色版画像データ部分がプリンタ６０ａ用の画像データであるプロセス画像データ成分に変換されると、プロセス色網がけ過程１１２で、プロセス画像データ成分に、各プロセス色ごとに所定の網点パターンを用いた網がけ処理が施される。
【００４５】
また、第１のデータ変換方法と同様に、特色参照過程１１３および階調演算過程１１４で特色再現画像データ成分が生成されると、特色網がけ過程１１５で、その特色再現画像データ成分に、特色再現画像データ成分が表す画像部分の色が印刷画像４１の特色になるべく近くなるような網点パターンを用いた網がけ処理が施される。
【００４６】
合成部１１６では、プロセス色毎に、網がけ処理後のプロセス画像データ成分が表す網点形状と、特色再現画像データ成分が表す網点形状とが合成されてプルーフ画像データが生成される。この第２のデータ変換方法によると、プルーフ画像のうちの特色で構成された画像部分を、その画像部分の特色が印刷画像の特色になるべく近くなるように調整された網点パターンで表現することができるため、第１のデータ変換方法よりも、いっそう印刷画像４１の色に近い色を再現することができる。
【００４７】
次に、第３のデータ変換方法について説明する。この第３のデータ変換方法は、プリンタ６０ａが、特色インクを使用することができる場合に用いられる方法である。この第３のデータ変換方法においては、第１および第２の方法とは異なり、印刷画像データが、プリンタ６０ａ用のプロセス色成分を表すプロセス色画像データ成分と、特色成分を表す特色画像データ成分とからなるプルーフ画像データに変換される。
【００４８】
図４は、第３のデータ変換方法を示す図である。図４には、図３に示す第２のデータ変換方法と同様に、プロセス色変換過程１２１、プロセス色網がけ過程１２２、特色参照過程１２３、階調演算過程１２４、および特色網がけ過程１２５が示されているが、図２の加算部１０４や図３の合成部１１６に対応する部分は示されていない。
【００４９】
第２のデータ変換方法と同様に、印刷画像データのうちのプロセス色版画像データ部分が、プロセス色変換過程１２１およびプロセス色網がけ過程１２２で、網点がけ処理が施されたプリンタ６０ａ用のプロセス画像データ成分に変換される。
【００５０】
また、特色版画像データ部分については、特色参照過程１２３、階調演算過程１２４、および特色網がけ過程１２５で、網がけ処理が施されたプリンタ６０ａ用の特色画像データ成分に変換される。
【００５１】
第３の方法では、網がけ処理が施されたプリンタ６０ａ用のプロセス画像データ成分および特色画像データ成分は、加算されず、プロセス画像データ成分および特色画像データ成分からなるプルーフ画像データが生成される。この第３の方法では、印刷機４０で使用される特色インクと近い色の特色インクを使用することによって、第１および第２のデータ変換方法よりも、印刷画像４１の色に近い色を安定して再現することができる。
【００５２】
上記のような方法で、図１に示す印刷画像４１のプロセス色部分４１ａに対応するプロセス画像部分６１ａ、赤特色部分４１ｂに対応する赤特色画像部分６１ｂ、緑特色部分４１ｃに対応する緑特色画像部分６１ｃ、青特色部分４１ｄに対応する青特色画像部分６１ｄで構成されたプルーフ画像６１が作成される。このようなプルーフ画像６１を確認することにより、印刷の仕上がりを事前に確認することができる。
【００５３】
しかし、このプルーフ画像６１も印刷画像４１と同様に紙に出力されるため、コストがかかるものである。このため、プルーフ画像６１を作成する前にも、パーソナルコンピュータ５０の表示画面などにプルーフ画像６１を模したプレビュー画像を表示して、そのプレビュー画像を用いてプルーフ画像６１のイメージを確認しておくことが行われる。
【００５４】
パーソナルコンピュータ５０は、上記のデータ変換方法を適用して印刷画像データをプルーフ画像データに変換し、そのプルーフ画像データが表すプルーフ画像を事前確認するためのプレビュー画像を表示画面などに表示する。
【００５５】
ここで、図１に示す画像処理システムにおける、本発明の一実施形態としての特徴は、パーソナルコンピュータ５０の内部で実行される処理内容にあり、以下、このパーソナルコンピュータ５０について説明する。
【００５６】
図５は、図１のパーソナルコンピュータ５０の外観斜視図、図６はそのハードウェア構成図である。
【００５７】
このパーソナルコンピュータ５０は、外観構成上、本体装置５１、その本体装置５１からの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示された、例えばアイコン等に応じた指示を入力するマウス５４を備えている。この本体装置５１は、外観上、フレキシブルディスクを装填するためのフレキシブルディスク装填口５１ａ、およびＣＤ−ＲＯＭを装填するためのＣＤ−ＲＯＭ装填口５１ｂを有する。
【００５８】
本体装置５１の内部には、図６に示すように、各種プログラムを実行するＣＰＵ５１１、ハードディスク装置５１３に格納されたプログラムが読み出されＣＰＵ５１１での実行のために展開される主メモリ５１２、各種プログラムやデータ等が保存されたハードディスク装置５１３、フレキシブルディスク２００が装填され、そのフレキシブルディスク２００をアクセスするフレキシブルディスクドライブ５１４、ＣＤ−ＲＯＭ２１０をアクセスするＣＤ−ＲＯＭドライブ５１５、図１のワークステーション２０から画像データを受け取る入力インタフェース５１６、図１のプリンタ６０ａ、…、プリンタ６０ｎに画像データを送る出力インタフェース５１７ａ、…、出力インタフェース５１７ｎが内蔵されており、これらの各種要素と、さらに図５にも示す画像表示装置５２、キーボード５３、マウス５４は、バス５５を介して相互に接続されている。
【００５９】
ここで、ＣＤ−ＲＯＭ２１０には、このパーソナルコンピュータ５０を本発明の画像処理装置の一実施形態として動作させるための画像処理プログラムが記憶されており、そのＣＤ−ＲＯＭ２１０はＣＤ−ＲＯＭドライブ５１５に装填され、そのＣＤ−ＲＯＭ２１０に記憶された画像処理プログラムがこのパーソナルコンピュータ５０にアップロードされてハードディスク装置５１３に記憶される。こうしてパーソナルコンピュータ５０は本発明の画像処理装置の第１実施形態である図８の画像処理装置６００（後述する）として動作する。
【００６０】
次に、このパーソナルコンピュータ５０内で実行される、画像処理プログラムについて説明する。
【００６１】
図７は、本発明の画像処理プログラムの第１実施形態が記憶されたＣＤ−ＲＯＭ２１０を示す概念図である。
【００６２】
画像処理プログラム３１０は、画像データ取得部３１１と、画像データ変換部３１２と、再現方式認識部３１３と、プレビュー画像表示部３１４とで構成されている。ここで、画像データ取得部３１１は本発明の画像処理プログラムにおける画像データ取得部、同様に、画像データ変換部３１２は画像データ変換部、再現方式認識部３１３は再現方式認識部、プレビュー画像表示部３１４はプレビュー画像表示部の一例にそれぞれ相当する。画像処理プログラム３１０の各部の詳細については、図８に示す本発明の画像処理装置の第１実施形態である画像処理装置６００の各部の作用と一緒に説明する。
【００６３】
図８は、この画像処理プログラム３１０を図１のパーソナルコンピュータ５０にインストールし、パーソナルコンピュータ５０を本発明の画像処理装置の第１実施形態として動作させるときの画像処理装置６００の機能ブロック図である。
【００６４】
図８に示す画像処理装置６００は、画像データ取得部６１０、画像データ変換部６２０、再現方式認識部６３０、およびプレビュー画像表示部６４０で構成されている。また、図６のハードディスク装置５１３に相当する記憶部７００には、特色の再現方式と、その特色を表現する表現態様との対応が予め記憶されている。
【００６５】
画像処理プログラム３１０をパーソナルコンピュータ５０にインストールすると、図７の画像処理プログラム３１０の画像データ取得部３１１は図８の画像データ取得部６１０を構成し、画像データ変換部３１２は画像データ変換部６２０、再現方式認識部３１３は再現方式認識部６３０、プレビュー画像表示部３１４はプレビュー画像表示部６４０をそれぞれ構成する。
【００６６】
画像データ取得部６１０は、図１に示すワークステーション２０から、図６の入力インターフェース５１６を介して、プロセス色版画像データ部分および特色版画像データ部分とからなる印刷画像データを取得する。画像データ取得部６１０は、本発明の画像処理装置における画像データ取得部の一例に相当する。取得された印刷画像データは、画像データ変換部６２０に送られる。
【００６７】
画像データ変換部６２０は、図１に示すプリンタ６０ａにおける印刷画像４１の再現方式を踏まえ、上記で説明したデータ変換方法を用いて、画像データ取得部６１０から入力した印刷画像データをプルーフ画像データに変換する。ここでいう再現方式とは、特色を再現するのに使われるインクの種類や、各色を表現するための網点パターンの種類などがあたる。この再現方式は、本発明にいう印刷画像の再現方式の一例に相当し、画像データ変換部６２０は本発明の画像処理装置における画像データ変換部の一例に相当する。変換されたプルーフ画像データは、まず、プレビュー画像表示部６４０に送られる。プレビュー画像表示部６４０は、プルーフ画像データが表すプルーフ画像６１を事前確認するための、プルーフ画像６１を模したプレビュー画像を、図５に示す表示画面５２ａに表示する。オペレータは、このプレビュー画像を確認してから、図示しない指示手段を用いて、プルーフ画像６１の出力を画像変換部６２０に指示する。画像データ変換部６２０は、オペレータからの出力指示を受けると、図１に示すプリンタ６１ａにプルーフ画像データを送り、プリンタ６０ａではプルーフ画像データに基づくプルーフ画像６１が生成される。
【００６８】
再現方式認識部６３０は、画像データ変換部６２０で前提とした印刷画像４１の再現方式のうちの、特色の再現方式を認識する。ここでいう特色の再現方式とは、特色を再現するのに使われるインクの種類や特色を構成するための網点パターンの種類、特色を再現するのに用いられた上記のデータ変換方法などがあたる。この特色の再現方式は、本発明にいう特色の再現方式の一例に相当し、再現方式認識部６３０は本発明の画像処理装置における再現方式認識部の一例に相当する。認識された特色の再現方式は、プレビュー画像表示部６４０に送られる。
【００６９】
プレビュー画像表示部６４０は、再現方式認識部部６３０で認識された特色の再現方式に予め対応付けられている表現態様を記憶部７００から読み出し、画像データ変換部６２０から送られたプルーフ画像データが表すプルーフ画像のうちの特色画像部分を、記憶部７００から読み出した表現態様で表現したプレビュー画像を図５に示す表示画面５２ａに表示する。このプレビュー画像表示部６４０は、本発明の画像処理装置における再現方式認識部の一例に相当する。
【００７０】
画像処理装置６００は、基本的には以上のように構成されているものであり、次に、この画像処理装置６００を用いて、図１に示す印刷画像４１のプルーフ画像６１を生成する手順について説明する。
【００７１】
まず、画像データ取得部６１０は、図１に示すワークステーション２０から、プロセス版画像を表すプロセス色版画像データ部分と、赤特色部分４１ｂを含む赤の特色版画像を表す赤特色版画像データ部分と、緑特色部分４１ｃを含む緑の特色版画像を表す緑特色版画像データ部分と、青特色部分４１ｄを含む青の特色版画像を表す青特色版画像データ部分とからなる印刷画像データを取得する。このプロセス色版画像データ部分は本発明にいう第１の画像データ部分の一例にあたり、赤特色版画像データ部分と緑特色版画像データ部分および青特色版画像データ部分は第２の画像データ部分の一例にあたる。また、印刷画像データは、本発明にいう印刷画像データの一例に相当する。取得された印刷画像データは、画像データ変換部６２０に出力される。
【００７２】
画像データ変換部６２０は、画像データ取得部６１０から印刷画像データが入力されると、図１のプリンタ６０ａにおける印刷画像４１の再現方式を前提として、印刷画像データをプルーフ画像データに変換する。例えば、プリンタ６０ａは網点パターンを用いてインクを重ね合わせるプリンタであり、プリンタ６０ａにおける印刷画像４１の再現方式は、
（１）赤の特色インクの色は、プロセスインクの組み合わせで再現する
（２）緑および青の特色インクの色は、プリンタ６０ａ用の緑色および青色の特色インクを用いて再現する
（３）特色インクで特色を再現するときには、網点パターン１を用いてインクをのせる
（４）プロセスインクで特色を再現するときには、網点パターン２を用いてプロセスインクを重ね合わせる
（５）印刷のプロセス色を再現するときには、網点パターン１を用いてプロセスインクを重ね合わせる
という方式であるものとする。画像データ変換部６２０は、再現方式（１）および再現方式（４）を前提として、赤の特色インクで印刷される赤特色部分４１ｂに対応する赤特色版画像データ部分に上記で説明した第２のデータ変換方法を適用し、再現方式（２）および再現方式（３）を前提として、緑の特色インクで印刷される緑特色部分４１ｃに対応する緑特色版画像データ部分および青の特色インクで印刷される青特色部分４１ｄに対応する青特色版画像データ部分に第３のデータ変換方法を適用し、再現方式（５）を前提として、プロセス色版画像データ部分に第２のデータ変換方法を適用して、印刷画像データをプルーフ画像データに変換する。このプルーフ画像データは、まずプレビュー画像表示部６４０に送られる。
【００７３】
また、再現方式認識部６３０では、画像データ変換部６２０で前提とした印刷画像４１の再現方式のうちの、特色の再現方式を認識する。この例においては、再現方式認識部６３０において、赤の特色は第２のデータ変換方法を適用し、緑および青の特色は第３のデータ変換方法を適用して再現されるという特色の再現方式が認識される。この特色の再現方式は、プレビュー画像表示部６４０に送られる。
【００７４】
プレビュー画像表示部６４０は、再現方式認識部６３０から特色の再現方式を送られると、その特色の再現方式に対応する特色の表現態様を記憶部７００から取得する。この例では、プレビュー画像表示部６４０において、第１のデータ変換方法で再現された特色は第１の模様で、第２のデータ変換方法で再現された特色は第２の模様で、第３のデータ変換方法で再現された特色は第３の模様で表現するという表現態様が取得されたものとする。さらに、画像データ変換部６２０から送られたプルーフ画像データが表すプルーフ画像のうちの特色画像部分を、記憶部７００から取得した表現態様で表現したプレビュー画像を図５に示す表示画面５２ａに表示する。
【００７５】
図９は、表示画面５２ａに表示されたプレビュー画像７１を示す図である。プレビュー画像７１は、図１に示すプルーフ画像６１のプロセス画像部分６１ａに対応するプロセス画像部分７１ａ、赤特色画像部分６１ｂに対応する赤画像部分７１ｂ、緑特色画像部分６１ｃに対応する緑画像部分７１ｃ、および青特色画像部分６１ｄに対応する青画像部分７１ｄで構成されている。プロセス画像部分７１ａには模様がついていないが、赤画像部分７１ｂには第２の模様がついており、緑画像部分７１ｃおよび青画像部分７１ｄには第３の模様がついている。この第２の模様および第３の模様は、本発明にいう表現態様の一例に相当し、かつ本発明にいう地模様の一例にあたる。
【００７６】
オペレータは、プレビュー画像７１を確認して、プルーフ画像６１の赤の特色にあたる赤特色画像部分６１ｂはプロセスインクの組み合わせで特色を表現する第２の変換方法によって再現され、緑および青の特色にあたる緑特色画像部分６１ｃおよび青特色画像部分６１ｃは特色インクを用いて特色を再現する第３の方法によって再現されることを判別する。オペレータは、判別した特色の再現方式が所望の再現方式であることを確認すると、図示しない指示手段を用いて、図８の画像データ変換部６２０にプルーフ画像６１の出力を指示する。
【００７７】
画像データ変換部は、プルーフ画像６１の出力指示を受けると、プルーフ画像データを、図６の出力インタフェース５１７ａを介して、図１のプリンタ６０ａに出力する。
【００７８】
プリンタ６０ａは、画像データ出力部からプルーフ画像データを入力し、そのプルーフ画像データを基にプルーフ画像６１を作成する。
【００７９】
このように、本実施形態の画像処理装置６００のプレビュー画像表示部６４０で表示されたプレビュー画像７１を確認することにより、プルーフ画像６１における特色が、実際にはどのように作成されるのかということを事前に判別することができる。
【００８０】
以上で、本発明の第１実施形態の説明を終了し、次に、本発明の第２実施形態の画像処理装置について説明する。この第２実施形態は、図８に示す第１実施形態の構成と同様な構成を有するが、表示されるプレビュー画像の形態が相違している点のみ異なる。
【００８１】
第２実施形態におけるプレビュー画像表示部は、データ変換部から送られたプルーフ画像データが表すプルーフ画像のうちのある再現方式で再現された特色画像部分を点滅させる表現態様で表現したプレビュー画像を図５に示す表示画面５２ａに表示する。例えば、プレビュー画像表示部は、プルーフ画像のうちの第２の変換方法によって再現された特色画像部分を点滅させる表現態様で表現したプレビュー画像を表示するものとする。
【００８２】
図１０は、第２実施形態の画像処理装置のプレビュー画像表示部によって、図５に示す表示画面５２ａに表示されたプレビュー画像７２を示す図である。プレビュー画像７２は、プロセス画像部分７２ａ、赤画像部分７２ｂ、緑画像部分７２ｃ、および青画像部分７２ｄで構成されており、各画像部分に模様がついていないという点が図９に示す第１実施形態のプレビュー画像７１とは異なる。また、プロセス画像部分７２ａ、緑画像部分７２ｃ、および青画像部分７２ｄは点滅していないが、赤画像部分７２ｂが点滅している。オペレータは、この赤画像部分７２ｂが点滅していることを確認して、プルーフ画像６１のうちの赤の特色にあたる赤特色画像部分６１ｂのみ、第２のデータ変換方法が適用されてプロセスインクの組み合わせで再現されることを判別することができる。このように、ある再現方式によって再現された特色に対応する画像部分が点滅したプレビュー画像を確認することで、特色の再現方式をいっそう容易に判別することができる。
【００８３】
以上で、本発明の第２実施形態の説明を終了し、次に、本発明の第３実施形態の画像処理装置について説明する。この第３実施形態は、図８に示す第１実施形態の構成とほぼ同様な構成を有するが、表示されるプレビュー画像の形態が第１実施形態および第２実施形態とは相違している。以下では、第１実施形態および第２実施形態との相違点に注目して説明する。
【００８４】
図１１は、本発明の画像処理プログラムの第３実施形態が記憶されたＣＤ−ＲＯＭ２２０を示す概念図である。
【００８５】
画像処理プログラム３２０には、図７に示す第１実施形態の画像処理プログラムの各要素に加えて、再現方式指定部３２４が備えられている。この再現方式指定部３２４は本発明の画像処理プログラムにおける再現方式指定部３２４の一例に相当する。
【００８６】
図１２は、この画像処理プログラム３２０を図１のパーソナルコンピュータ５０にインストールし、パーソナルコンピュータ５０を本発明の画像処理装置の第３実施形態として動作させるときの画像処理装置８００の機能ブロック図である。画像処理装置８００には、図５のキーボード５３やマウス５４などに相当する再現方式指示部８４０が備えられているという点において、図８に示す第１実施形態の画像処理装置６００とは相違している。
【００８７】
プレビュー画像表示部８４０は、まず、第１実施形態のプレビュー画像表示部６４０と同様に、図９に示す第１実施形態のプレビュー画像７１とほぼ同様のプレビュー画像を図５に示す表示画面５２ａに表示する。
【００８８】
図１３は、第３実施形態のプレビュー画像表示部８５０によって、図５に示す表示画面５２ａに表示されたプレビュー画像７３を示す図である。プレビュー画像７３は、図９に示す第１実施形態のプレビュー画像７１に、方式選択部７３ｅが加えられている。方式選択部７３ｅには、方式１、方式２、および方式３のいずれかを指定可能なチェックボックスが備えられている。この例では、方式１は第１のデータ変換方法、方式２は第２のデータ変換方法、方式３は第３のデータ変換方法に対応しているものとする。
【００８９】
オペレータは、図５のキーボード５３やマウス５４などに相当する再現方式指示部８４０を用いて、方式１から方式３のうちの所望の再現方式を指定する。オペレータによって再現方式が指定されると、再現方式指定部８４０は、指定された再現方式をプレビュー画像表示部８５０に送る。この再現方式指定部８４０は、本発明の画像処理装置における再現方式指定部の一例に相当する。
【００９０】
プレビュー画像表示部８５０は、再現方式指定部８４０から再現方式の指定を受けると、画像データ変換部８２０から送られたプルーフ画像データが表すプルーフ画像のうちの指定された再現方式で再現された特色画像部分を、その特色に対応付けられている表現態様とは異なる別の表現態様で表現したプレビュー画像を表示する。例えば、再現方式指定部８４０で第２のデータ変換方法（方式２）が指定されたとすると、図１に示すプルーフ画像６１のうちの第２のデータ変換方法で再現された赤特色画像部分６１ｂを、第２のデータ変換方法の再現方式に対応付けられている第２の模様とは異なる模様で表現したプレビュー画像を表示する。
【００９１】
図１４は、再現方式指定部８４０で再現方式として方式２が指定された後に、図５に示す表示画面５２ａに表示されたプレビュー画像７４を示す図である。プレビュー画像７４は、図１３に示す、再現方式が指定される前のプレビュー画像７３と比べて、方式選択部７４ｅの再現方式指定部８４０で指定された方式２のチェックボックスに印が加えられており、プルーフ画像６１の赤特色画像部分６１ｂに対応する赤画像部分７４ｂの模様が、プレビュー画像７３の赤画像部分７３ｂに付けられていた第２の模様とは異なる模様に変わっている。オペレータは、このプレビュー画像７３の赤画像部分７４ｂの模様が変化したことを確認することにより、その赤画像部分７４ｂに対応するプルーフ画像６１の赤特色画像部分６１ｂのみ、第２のデータ変換方法が適用されてプロセスインクの組み合わせで再現されることを判別する。このように、所望の再現方式を指定すると、その指定した再現方式で再現された特色にあたる画像部分の模様が変わるようなプレビュー画像を確認することにより、所望の再現方式で再現された特色をいっそう容易に判別することができる。
【００９２】
以上で、本発明の第３実施形態の説明を終了し、次に、本発明の第４実施形態の画像処理装置について説明する。この第４実施形態は、図１２に示す第３実施形態の構成と同様な構成を有するが、表示されるプレビュー画像の形態が相違している点のみ異なる。
【００９３】
第４実施形態におけるプレビュー画像表示部は、再現方式指定部から再現方式の指定を受けると、画像データ変換部から送られたプルーフ画像データが表すプルーフ画像のうちの、再現方式指定部で指定された再現方式以外の再現方式で再現された特色画像部分を削除したプレビュー画像を図５に示す表示画面５２ａに表示する。例えば、図１３に示すプレビュー画像７３を確認したオペレータによって、再現方式指定部で第２のデータ変換方法（方式２）が指定されたとすると、プレビュー画像表示部は、図１に示すプルーフ画像６１のうちの、第２のデータ変換方法ではない第３のデータ変換方法で再現された緑特色画像部分６３ｃおよび青特色画像部分６３ｄを削除したプレビュー画像を表示する。
【００９４】
図１５は、第４実施形態の画像処理装置のプレビュー画像表示部によって、図５に示す表示画面５２ａに表示されたプレビュー画像７５を示す図である。プレビュー画像７５は、図１３に示す、再現方式が指定される前のプレビュー画像７３と比べて、方式選択部７５ｅの再現方式指定部８４０で指定された方式２のチェックボックスに印が加えられており、プルーフ画像６１の緑特色画像部分６３ｃおよび青特色画像部分６３ｄに対応する緑画像部分７３ｃおよび青画像部分７３ｄが表示されていない。このように、所望の再現方式以外の再現方式で再現された特色の画像部分を削除したプレビュー画像を表示するものであってもよい。
【００９５】
以上で、本発明の第４実施形態の説明を終了し、次に、本発明の第５実施形態の画像処理装置について説明する。この第５実施形態は、図８に示す第１実施形態の構成とほぼ同様な構成を有するが、表示されるプレビュー画像の形態、およびプルーフ画像を出力する出力デバイスが複数の色版画像を重ね合わせて印刷画像を再現するという前提であることが第１から第４の各実施形態とは相違している。以下では、第１から第４の各実施形態との相違点に注目して説明する。
【００９６】
図１６は、本発明の画像処理プログラムの第５実施形態が記憶されたＣＤ−ＲＯＭ２３０を示す概念図である。
【００９７】
画像処理プログラム３３０は、図７に示す第１実施形態の画像処理プログラム３１０の再現方式認識部３１３に対応する要素を備えていないという点において画像処理プログラム３１０と相違している。
【００９８】
図１７は、この画像処理プログラム３３０を図１のパーソナルコンピュータ５０にインストールし、パーソナルコンピュータ５０を本発明の画像処理装置の第５実施形態として動作させるときの画像処理装置９００の機能ブロック図である。画像処理装置９００には、画像データ取得部９１０、画像データ変換部９２０、およびプレビュー画像表示部９３０で構成されており、図８に示す第１実施形態の画像処理装置６００とは、再現方式認識部６３０に対応する要素が備えられていないという点、および図８の記憶部７００を参照しないという点において相違している。
【００９９】
画像データ変換部９２０は、画像データ取得部９１０から送られた印刷画像データを、複数の色版画像を重ね合わせて印刷画像を再現する再現方式を前提として処理して、プルーフ画像データに変換する。
【０１００】
プレビュー画像表示部９３０は、画像データ変換部からプルーフ画像データを送られると、プルーフ画像データが表す複数の色版画像を、特色画像部分のみ立体的に表現したプレビュー画像を図５に示す表示画面５２ａに表示する。
【０１０１】
図１８は、第５実施形態のプレビュー画像表示部９５０によって、図５に示す表示画面５２ａに表示されたプレビュー画像７６を示す図である。プレビュー画像７６は、図１に示すプルーフ画像６１の赤特色画像部分６２ｂに対応する赤画像部分７６ｂ、緑特色画像部分６２ｃに対応する緑画像部分７６ｃ、および青特色画像部分６２ｄに対応する青画像部分７６ｄで構成されている。赤画像部分７６ｂは、Ｙ（イエロー）色およびＭ（マゼンタ）色の２色のプロセス色の版画像部分で構成されており、緑画像部分７６ｃおよび青画像部分７６ｄは緑および青の特色の版画像部分で構成されている。オペレータはプレビュー画像７６を確認することにより、プルーフ画像６１のうちの緑および青は特色インクを用いて、赤はＹおよびＭ色のプロセスカラーの組み合わせで特色が再現されるということを判別することができる。このように、特色を構成している色版画像を立体的に表現したプレビュー画像を確認することにより、その特色を再現するのに用いられるインクの種類を用意に判別することができる。
【０１０２】
上記では、印刷に用いられる特色の数だけ存在する、１次元の特色版画像データ部分を用いる例で説明したが、本発明の画像処理装置は、例えば、特色の数と同じ数の次元を有する特色版画像データ部分を用いるものであってもよい。
【０１０３】
また、上記では、プルーフ画像データが表す複数の色版画像を、特色画像部分のみ立体的に表現したプレビュー画像を表示する画像処理装置について説明したが、特色画像部分のみに限らず、プロセス画像部分を構成している色版画像も立体的に表現するプレビュー画像を表示するものであってもよい。
【０１０４】
【発明の効果】
以上、説明したように、本発明によれば、プルーフ画像における特色が、実際にはどのように作成されるのかというようなことを容易に判別できる画像処理装置を提供することができる。
【図面の簡単な説明】
【図１】本発明の一実施形態が適用された画像処理システムの全体構成図である。
【図２】第１のデータ変換方法を示す図である。
【図３】第２のデータ変換方法を示す図である。
【図４】第３のデータ変換方法を示す図である。
【図５】パーソナルコンピュータ５０の外観斜視図である。
【図６】パーソナルコンピュータ５０のハードウェア構成図である。
【図７】本発明の画像処理プログラムの第１実施形態が記憶されたＣＤ−ＲＯＭ２１０を示す概念図である。
【図８】画像処理装置６００の機能ブロック図である。
【図９】表示画面５２ａに表示されたプレビュー画像７１を示す図である。
【図１０】表示画面５２ａに表示されたプレビュー画像７２を示す図である。
【図１１】本発明の画像処理プログラムの第３実施形態が記憶されたＣＤ−ＲＯＭ２２０を示す概念図である。
【図１２】画像処理装置８００の機能ブロック図である。
【図１３】表示画面５２ａに表示されたプレビュー画像７３を示す図である。
【図１４】表示画面５２ａに表示されたプレビュー画像７４を示す図である。
【図１５】表示画面５２ａに表示されたプレビュー画像７５を示す図である。
【図１６】本発明の画像処理プログラムの第５実施形態が記憶されたＣＤ−ＲＯＭ２３０を示す概念図である。
【図１７】画像処理装置９００の機能ブロック図である。
【図１８】表示画面５２ａに表示されたプレビュー画像７６を示す図である。
【符号の説明】
１０　　カラースキャナ
２０　　ワークステーション
３０　　フィルムプリンタ
４０　　印刷機
４１　　印刷画像
４１ａ　　プロセス色部分
４１ｂ　　赤特色部分
４１ｃ　　緑特色部分
４１ｄ　　青特色部分
５０　　パーソナルコンピュータ
５１　　本体装置
５２　　画像表示装置
５２ａ　　表示画面
５３　　キーボード
５４　　マウス
５５　　バス
５１ａ　　フレキシブルディスク装填口
５１ｂ　　ＣＤ−ＲＯＭ装填口
５１１　　ＣＰＵ
５１２　　主メモリ
５１３　　ハードディスク装置
５１４　　フレキシブルディスクドライブ
５１５　　ＣＤ−ＲＯＭドライブ
５１６　　入力インタフェース
５１７ａ　　出力インタフェース
…
５１７ｎ　　出力インタフェース
６０ａ　　プリンタ
６０ｂ　　プリンタ
…
６０ｎ　　プリンタ
６１　　プルーフ画像
６１ａ　　プロセス画像部分
６１ｂ　　赤特色画像部分
６１ｃ　　緑特色画像部分
６１ｄ　　青特色画像部分
７１　　プレビュー画像
７１ａ　　プロセス画像部分
７１ｂ　　赤画像部分
７１ｃ　　緑画像部分
７１ｄ　　青画像部分
７２　　プレビュー画像
７２ａ　　プロセス画像部分
７２ｂ　　赤画像部分
７２ｃ　　緑画像部分
７２ｄ　　青画像部分
７３　　プレビュー画像
７３ａ　　プロセス画像部分
７３ｂ　　赤画像部分
７３ｃ　　緑画像部分
７３ｄ　　青画像部分
７３ｅ　　方式選択部
７４　　プレビュー画像
７４ａ　　プロセス画像部分
７４ｂ　　赤画像部分
７４ｃ　　緑画像部分
７４ｄ　　青画像部分
７４ｅ　　方式選択部
７５　　プレビュー画像
７５ａ　　プロセス画像部分
７５ｂ　　赤画像部分
７５ｅ　　方式選択部
７６　　プレビュー画像
７６ｂ　　赤画像部分
７６ｃ　　緑画像部分
７６ｄ　　青画像部分
１０１　　プロセス色変換過程
１０２　　特色参照過程
１０３　　階調演算過程
１０４　　加算部
１１１　　プロセス色変換過程
１１２　　プロセス色網がけ過程
１１３　　特色参照過程
１１４　　階調演算過程
１１５　　特色網がけ過程
１１６　　合成部
１２１　　プロセス色変換過程
１２２　　プロセス色網がけ過程
１２３　　特色参照過程
１２４　　階調演算過程
１２５　　特色網がけ過程
２００　　フレキシブルディスク
２１０　　ＣＤ−ＲＯＭ
２２０　　ＣＤ−ＲＯＭ
２３０　　ＣＤ−ＲＯＭ
３１０　　画像処理プログラム
３１１　　画像データ取得部
３１２　　画像データ変換部
３１３　　再現方式認識部
３１４　　プレビュー画像表示部
３２０　　画像処理プログラム
３２１　　画像データ取得部
３２２　　画像データ変換部
３２３　　再現方式認識部
３２４　　再現方式指定部
３２５　　プレビュー画像表示部
３３０　　画像処理プログラム
３３１　　画像データ取得部
３３２　　画像データ変換部
３３３　　プレビュー画像表示部
６００　　画像処理装置
６１０　　画像データ取得部
６２０　　画像データ変換部
６３０　　再現方式認識部
６４０　　プレビュー画像表示部
７００　　記憶部
８００　　画像処理装置
８１０　　画像データ取得部
８２０　　画像データ変換部
８３０　　再現方式認識部
８４０　　再現方式指示部
８５０　　プレビュー画像表示部
９００　　画像処理装置
９１０　　画像データ取得部
９２０　　画像データ変換部
９３０　　プレビュー画像表示部
【図１】
2004086238.tif 000003
【図２】
2004086238.tif 000004
【図３】
2004086238.tif 000005
【図４】
2004086238.tif 000006
【図５】
2004086238.tif 000007
【図６】
2004086238.tif 000008
【図７】
2004086238.tif 000009
【図８】
2004086238.tif 000010
【図９】
2004086238.tif 000011
【図１０】
2004086238.tif 000012
【図１１】
2004086238.tif 000013
【図１２】
2004086238.tif 000014
【図１３】
2004086238.tif 000015
【図１４】
2004086238.tif 000016
【図１５】
2004086238.tif 000017
【図１６】
2004086238.tif 000018
【図１７】
2004086238.tif 000019
【図１８】
2004086238.tif 000020